【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モードへ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、を備え、電源が供給されると、前記第１初期モード、前記第２初期モードへそれぞれ移行し、前記第１初期モードに移行後前記第１加熱モードに所定時間移行しない時、前記第１初期モードから前記第１待機モードに移行し、前記第２初期モードに移行後前記第２加熱モードに所定時間移行しない時、前記第２初期モードから前記第２待機モードに移行する加熱調理器。
【請求項２】
第１初期モードに移行後第１加熱モードに所定時間移行しない時、前記第１初期モードから第１待機モードに移行し、第２初期モードに移行後第２加熱モードに所定時間移行しない時、前記第２初期モードから第２待機モードに移行することに代え、前記第１初期モードに移行後第１入力スイッチ群への操作がなく所定時間経過した時、前記第１初期モードから前記第１待機モードに移行し、前記第２初期モードに移行後前記第２入力スイッチ群への操作がなく所定時間経過した時、前記第２初期モードから前記第２待機モードに移行する請求項１に記載の加熱調理器。
【請求項３】
第１加熱手段の加熱動作を停止し前記第１加熱手段のタイマ加熱の加熱時間を第１入力スイッチ群への入力で設定することができる第１タイマ合わせモードと、前記第１入力スイッチ群に含まれ第１初期モードから前記第１タイマ合わせモードに移行させる第１タイマスイッチと、前記第２加熱手段の加熱動作を停止し前記第２加熱手段のタイマ加熱の加熱
時間を設定できる第２タイマ合わせモードと、前記第２入力スイッチ群に含まれ前記第２初期モードから前記第２タイマ合わせモードに移行させる第２タイマスイッチと、を備え、前記第１タイマ合わせモードに移行後所定時間経過した時、前記第１タイマ合わせモードから第１待機モードに移行し、前記第２タイマ合わせモードに移行後所定時間経過した時、前記第２タイマ合わせモードから第２待機モードに移行する請求項１に記載の加熱調理器。
【請求項４】
第１入力スイッチ群に第１加熱モードから第１初期モードに移行させる第１加熱切スイッチを備え、第２入力スイッチ群に第２加熱モードから第２初期モードに移行させる第２加熱切スイッチを備えた請求項１に記載の加熱調理器。
【請求項５】
第１タイマ合わせモードに移行後所定時間経過した時、前記第１タイマ合わせモードから第１待機モードに移行し、前記第２タイマ合わせモードに移行後所定時間経過した時、前記第２タイマ合わせモードから第２待機モードに移行することに代え、前記第１タイマ合わせモードに移行後前記第１入力スイッチ群への入力操作がなく所定時間経過した時、前記第１タイマ合わせモードから前記第１待機モードに移行し、前記第２タイマ合わせモードに移行後前記第２入力スイッチ群への入力操作がなく所定時間経過した時、前記第２タイマ合わせモードから前記第２待機モードに移行する請求項３に記載の加熱調理器。
【請求項６】
外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モードへ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、前記第１加熱手段の加熱動作を停止し前記第１加熱手段のタイマ加熱の加熱時間を設定することができる第１タイマ合わせモードと、前記第１入力スイッチ群に含まれ前記第１初期モードから前記第１タイマ合わせモードに移行させる第１タイマスイッチと、前記第２加熱手段の加熱動作を停止し前記第２加熱手段のタイマ加熱の加熱時間を設定できる第２タイマ合わせモードと、前記第２入力スイッチ群に含まれ前記第２初期モードから前記第２タイマ合わせモードに移行させる第２タイマスイッチと、を備え、前記第１タイマ合わせモードに移行後に前記第１ロック解除スイッチが操作されると前記第１タイマ合わせモードから前記第１初期モードに移行し、前記第２タイマ合わせモードに移行後に前記第２ロック解除スイッチが操作されると前記第２タイマ合わせモードから前記第２初期モードに移行する加熱調理器。
【請求項７】
外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モード
へ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、前記第１加熱手段の加熱動作を行い前記第１加熱手段のタイマ加熱の加熱時間を設定することができる第１タイマ加熱モードと、前記第１入力スイッチ群に含まれ前記第１加熱モードから前記第１タイマ加熱モードに移行させる第１タイマスイッチと、前記第２加熱手段の加熱動作を行い前記第２加熱手段のタイマ加熱の加熱時間を設定することができる第２タイマ加熱モードと、前記第２入力スイッチ群に含まれ前記第２加熱モードから前記第２タイマ加熱モードに移行させる第２タイマスイッチと、を備え、前記第１タイマ加熱モードに移行後に前記第１ロック解除スイッチが操作されると前記第１タイマ加熱モードから前記第１加熱モードに移行し、前記第２タイマ加熱モードに移行後に前記第２ロック解除スイッチが操作されると前記第２タイマ加熱モードから前記第２加熱モードに移行する加熱調理器。
【請求項８】
第１待機モードにあるときにそのことを表示する第１表示手段と、第２待機モードにあるときにそのことを表示する第２表示手段と、を有した請求項１〜７のいずれか１項に記載の加熱調理器。
【請求項９】
入力スイッチは静電容量式のタッチスイッチであることを特徴とする請求項１〜８のいずれか１項に記載の加熱調理器。
【手続補正２】
【補正対象書類名】明細書
【補正対象項目名】０００７
【補正方法】変更
【補正の内容】
【０００７】
前記従来の課題を解決するために、本発明の加熱調理器は、外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モードへ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、を備え、電源が供給されると、前記第１初期モード、前記第２初期モードへそれぞれ移行し、前記第１初期モードに移行後前記第１加熱モードに所定時間移行しない時、前記第１初期モードから前記第１待機モードに移行し、前記第２初期モードに移行後前記第２加熱モードに所定時間移行しない時、前記第２初期モードから前記第２待機モードに移行することで、機器に電源が供給された場合には、第１、第２加熱モードへそれぞれ移行することができる第１、第２初期モードとなり、機器が、天板上の入力スイッチの動作を誤入力防止のため抑制させた待機モードになった場合も、天板上のスイッチのみで待機モードを解除し加熱動作させることができる使い勝手のよい加熱調理器を提供できる。
【手続補正３】
【補正対象書類名】明細書
【補正対象項目名】０００８
【補正方法】変更
【補正の内容】
【０００８】
また、天板上のスイッチの動作禁止状態を解除するために、従来加熱手段を動作させる入力スイッチは、天板上と更に天板上以外の場所に重複して配置されていたが、前記構成において、待機モードからの復帰を天板上のロック解除スイッチで行わせることで、天板上以外の場所に加熱手段を動作させるスイッチは不要となり安価な構成となる。
【手続補正４】
【補正対象書類名】明細書
【補正対象項目名】０００９
【補正方法】変更
【補正の内容】
【０００９】
本発明の加熱調理器は、機器に電源が供給されると、加熱手段の加熱動作を停止し入力スイッチ群への入力で加熱モードへ移行することができる初期モードに移行し、電源が供給された後加熱動作やスイッチ入力がない状態で所定時間経過すると、天板に配置されたロック解除スイッチ以外への入力を禁止する待機モードを設けることで、機器が待機モードになった場合も天板上のスイッチのみで待機モードを解除し加熱動作させることができ、使い勝手が向上することに加え、加熱手段毎に待機モードを有することで天板配置のスイッチ入力の誤入力抑制効果を向上させることができる。
【手続補正５】
【補正対象書類名】明細書
【補正対象項目名】００１０
【補正方法】変更
【補正の内容】
【００１０】
第１の発明は外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モードへ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、を備え、電源が供給されると、前記第１初期モード、前記第２初期モードへそれぞれ移行し、前記第１初期モードに移行後前記第１加熱モードに所定時間移行しない時、前記第１初期モードから前記第１待機モードに移行し、前記第２初期モードに移行後前記第２加熱モードに所定時間移行しない時、前記第２初期モードから前記第２待機モードに移行することにより、機器に電源が供給された場合には、第１、第２入力スイッチ群への入力により第１、第２加熱モードへそれぞれ移行することができる第１、第２初期モードとなり、機器が、天板上の入力スイッチの動作を誤入力防止のため抑制させた待機モードになった場合も、天板上のスイッチのみで待機モードを解除させることができる使い勝手のよい加熱調理器を提供できる。また、天板上のスイッチの動作禁止状態を解除するために、従来加熱手段を動作させ
る入力スイッチは、天板上と更に天板上以外の場所に重複して配置されていたが、前記構成において、待機モードからの復帰を天板上のロック解除スイッチで行わせることで、天板上以外の場所に加熱手段を動作させるスイッチは不要となり安価な構成となる。
【手続補正６】
【補正対象書類名】明細書
【補正対象項目名】００１１
【補正方法】変更
【補正の内容】
【００１１】
また更に、第１及び第２待機モードを個別に有することで、例えば第１加熱手段が加熱中の場合も第２加熱手段を加熱していなければ、所定時間後は第２加熱手段にかかわる入力を抑制した第２待機モードに移行し、天板上のスイッチの誤入力の可能性を抑制することができる。前述動作の逆に、第２加熱手段が加熱中の場合も第１加熱手段を加熱していなければ、所定時間後は第１加熱手段にかかわる入力を抑制した第１待機モードに移行する。このように、加熱手段毎に個別に待機モードを有することで、実使用に応じた天板上のスイッチの動作抑制を行うことができ、使い勝手を損なうことなく、天板上スイッチの誤入力を抑制することができる。
【手続補正７】
【補正対象書類名】明細書
【補正対象項目名】００１２
【補正方法】変更
【補正の内容】
【００１２】
第２の発明は、特に第１の発明の構成において、第１初期モードに移行後第１加熱モードに所定時間移行しない時、前記第１初期モードから第１待機モードに移行し、第２初期モードに移行後第２加熱モードに所定時間移行しない時、前記第２初期モードから第２待機モードに移行することに代え、前記第１初期モードに移行後第１入力スイッチ群への操作がなく所定時間経過した時、前記第１初期モードから前記第１待機モードに移行し、前記第２初期モードに移行後第２入力スイッチ群への操作がなく所定時間経過した時、前記第２初期モードから前記第２待機モードに移行することにより、機器が、天板上の入力スイッチの動作を誤入力防止のため抑制させた待機モードになった場合も、天板上のスイッチのみで待機モードを解除させることができる使い勝手のよい加熱調理器を提供できる。また、加熱状態だけでなく入力スイッチへの入力信号を待機モードへ行こうする条件に付加することで、使用者が使用の意思を持って操作中に機器が待機モードに移行することのない使い勝手のよいものとなる。
【手続補正８】
【補正対象書類名】明細書
【補正対象項目名】００１３
【補正方法】変更
【補正の内容】
【００１３】
第３の発明は、特に第１の発明において、第１加熱手段の加熱動作を停止し前記第１加熱手段のタイマ加熱の加熱時間を第１入力スイッチ群への入力で設定することができる第１タイマ合わせモードと、前記第１入力スイッチ群に含まれ第１初期モードから前記第１タイマ合わせモードに移行させる第１タイマスイッチと、前記第２加熱手段の加熱動作を停止し前記第２加熱手段のタイマ加熱の加熱時間を設定できる第２タイマ合わせモードと、前記第２入力スイッチ群に含まれ前記第２初期モードから前記第２タイマ合わせモードに移行させる第２タイマスイッチと、を備え、前記第１タイマ合わせモードに移行後所定時間経過した時、前記第１タイマ合わせモードから第１待機モードに移行し、前記第２タイマ合わせモードに移行後所定時間経過した時、前記第２タイマ合わせモードから第２待
機モードに移行することで、機器が、天板上の入力スイッチの動作を誤入力防止のため抑制させた待機モードになった場合も、天板上のスイッチのみで待機モードを解除し加熱動作させることができる使い勝手のよい加熱調理器を提供できる。また、使用者が実質使用していない時間をカウントして、入力スイッチの動作を制限した待機モードへ移行させるため、使い勝手を損なうことはない。
【手続補正９】
【補正対象書類名】明細書
【補正対象項目名】００１４
【補正方法】変更
【補正の内容】
【００１４】
第４の発明は、特に第１の発明において、第１入力スイッチ群に第１加熱モードから第１初期モードに移行させる第１加熱切スイッチを備え、第２入力スイッチ群に第２加熱モードから第２初期モードに移行させる第２加熱切スイッチを備えたものである。
【手続補正１０】
【補正対象書類名】明細書
【補正対象項目名】００１５
【補正方法】変更
【補正の内容】
【００１５】
第５の発明は、特に第３の発明において、第１タイマ合わせモードに移行後所定時間経過した時、前記第１タイマ合わせモードから第１待機モードに移行し、前記第２タイマ合わせモードに移行後所定時間経過した時、前記第２タイマ合わせモードから第２待機モードに移行することに代え、前記第１タイマ合わせモードに移行後前記第１入力スイッチ群への入力操作がなく所定時間経過した時、前記第１タイマ合わせモードから前記第１待機モードに移行し、前記第２タイマ合わせモードに移行後前記第２入力スイッチ群への入力操作がなく所定時間経過した時、前記第２タイマ合わせモードから前記第２待機モードに移行することにより、使用者が実質使用していない時間をカウントして、入力スイッチの動作を制限した待機モードへ移行させるため、使い勝手を損なうことはない。
【手続補正１１】
【補正対象書類名】明細書
【補正対象項目名】００１６
【補正方法】変更
【補正の内容】
【００１６】
第６の発明は、外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モードへ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、前記第１加熱手段の加熱動作を停止し前記第１加熱手段のタイマ加熱の加熱時間を設定することができる第１タイマ合わせモードと、前記第１入力スイッチ群に含まれ前記第１初期モードから前記
第１タイマ合わせモードに移行させる第１タイマスイッチと、前記第２加熱手段の加熱動作を停止し前記第２加熱手段のタイマ加熱の加熱時間を設定できる第２タイマ合わせモードと、前記第２入力スイッチ群に含まれ前記第２初期モードから前記第２タイマ合わせモードに移行させる第２タイマスイッチと、を備え、前記第１タイマ合わせモードに移行後に前記第１ロック解除スイッチが操作されると前記第１タイマ合わせモードから前記第１初期モードに移行し、前記第２タイマ合わせモードに移行後に前記第２ロック解除スイッチが操作されると前記第２タイマ合わせモードから前記第２初期モードに移行することにより、機器が待機モードになった場合も天板上のスイッチのみで待機モードを解除し加熱動作させることができ、使い勝手が向上することに加え、加熱手段毎に待機モードを有することで天板配置のスイッチ入力の誤入力抑制効果を向上させることができる。また、例えば仮に、待機モード中にロック解除スイッチを受付けたとしても、その移行先は加熱を伴わない初期モードとしているため、使用者の意図しない加熱動作を行う可能性がなく安全性への配慮が高い。また意図しない初期モードへの移行後も、所定時間経過すれば再度待機状態へ移行するため、誤入力抑制効果は維持できる。また、解除動作を行うスイッチがタイマ時間設定の取り消しと兼用しているため、専用スイッチを設ける必要がなく安価な構成となる。
【手続補正１２】
【補正対象書類名】明細書
【補正対象項目名】００１７
【補正方法】変更
【補正の内容】
【００１７】
第７の発明は、外郭を構成する本体と、前記本体の上面に設けた天板と、前記天板上に載置された被加熱物を加熱する第１加熱手段及び第２加熱手段と、第１ロック解除スイッチを含み前記天板と略同一面に設けられ前記第１加熱手段を制御する第１入力スイッチ群と、第２ロック解除スイッチを含み前記天板と略同一面に設けられ前記第２加熱手段を制御する第２入力スイッチ群と、前記第１加熱手段の加熱動作を行う第１加熱モードと、前記第２加熱手段の加熱動作を行う第２加熱モードと、前記第１加熱手段の加熱動作を停止し前記第１入力スイッチ群への入力で前記第１加熱モードへ移行することができる第１初期モードと、前記第２加熱手段の加熱動作を停止し前記第２入力スイッチ群への入力で前記第２加熱モードへ移行することができる第２初期モードと、前記第１ロック解除スイッチ以外の前記第１入力スイッチ群への入力を禁止しかつ前記第１ロック解除スイッチへの入力がされると前記第１初期モードへ移行する第１待機モードと、前記第２ロック解除スイッチ以外の前記第２入力スイッチ群への入力を禁止しかつ前記第２ロック解除スイッチへの入力がされると前記第２初期モードへ移行する第２待機モードと、前記第１加熱手段の加熱動作を行い前記第１加熱手段のタイマ加熱の加熱時間を設定することができる第１タイマ加熱モードと、前記第１入力スイッチ群に含まれ前記第１加熱モードから前記第１タイマ加熱モードに移行させる第１タイマスイッチと、前記第２加熱手段の加熱動作を行い前記第２加熱手段のタイマ加熱の加熱時間を設定することができる第２タイマ加熱モードと、前記第２入力スイッチ群に含まれ前記第２加熱モードから前記第２タイマ加熱モードに移行させる第２タイマスイッチと、を備え、前記第１タイマ加熱モードに移行後に前記第１ロック解除スイッチが操作されると前記第１タイマ加熱モードから前記第１加熱モードに移行し、前記第２タイマ加熱モードに移行後に前記第２ロック解除スイッチが操作されると前記第２タイマ加熱モードから前記第２加熱モードに移行することにより、機器が待機モードになった場合も天板上のスイッチのみで待機モードを解除し加熱動作させることができ、使い勝手が向上することに加え、加熱手段毎に待機モードを有することで天板配置のスイッチ入力の誤入力抑制効果を向上させることができる。また、例えば仮に、待機モード中にロック解除スイッチを受付けたとしても、その移行先は加熱を伴わない初期モードとしているため、使用者の意図しない加熱動作を行う可能性がなく安全性への配慮が高い。また意図しない初期モードへの移行後も、所定時間経過すれば再度待機状態へ
移行するため、誤入力抑制効果は維持できる。また、解除動作を行うスイッチがタイマ時間設定の取り消しと兼用しているため、専用スイッチを設ける必要がなく安価な構成となる。
【手続補正１３】
【補正対象書類名】明細書
【補正対象項目名】００１８
【補正方法】変更
【補正の内容】
【００１８】
第８の発明は、特に第１〜第７の発明において、第１待機モードとなっている時にそのことを表示する第１表示手段と、第２待機モードとなっている時にそのことを表示する第２表示手段と、を具備したもので、第１加熱手段と第２加熱手段のいずれが天板上スイッチによる入力を抑制しているかを、容易に使用者に知らしめることができ更に使い勝手が向上する。
【手続補正１４】
【補正対象書類名】明細書
【補正対象項目名】００１９
【補正方法】変更
【補正の内容】
【００１９】
第９の発明は、第１〜８の発明のいずれか１つの発明の第１スイッチもしくは第２スイッチもしくは入力スイッチを静電容量式のタッチスイッチとしたものであり、タッチスイッチは原理上触れるだけでスイッチ受付するので操作感にすぐれ使い勝手が向上する。
【手続補正１５】
【補正対象書類名】明細書
【補正対象項目名】００２３
【補正方法】変更
【補正の内容】
【００２３】
更に、天板２と略同一面上で左加熱部前方には、左加熱コイル３による加熱の入切を制御する第１入力スイッチである左加熱切／入スイッチ５ｃ、左加熱の出力の調整行う第１入力スイッチである左ダウンスイッチ５ａ、左アップスイッチ５ｂ、左加熱のタイマ動作の設定行う第１入力スイッチである左タイマスイッチ５ｄ、左加熱のタイマ動作の解除を解除する第１スイッチである左取消スイッチ５ｅが設けられている。左取消スイッチ５ｅは、左加熱部が前述の第１スイッチ群からの入力を制限している第１待機モードにあるとき、第１待機モードを解除し第１初期モードへ移行させる特定スイッチとしての働きも兼ね備えている。
【手続補正１６】
【補正対象書類名】明細書
【補正対象項目名】００２４
【補正方法】変更
【補正の内容】
【００２４】
左加熱部と同様に、天板２と略同一面上で右加熱部前方には、右加熱コイル４による加熱の入切を制御する第２入力スイッチである右加熱切／入スイッチ６ｃ、右加熱の出力の調整行う第２入力スイッチである右ダウンスイッチ６ａ、右アップスイッチ６ｂ、右加熱のタイマ動作の設定行う第２入力スイッチである右タイマスイッチ６ｄ、右加熱のタイマ動作の解除を解除する第２スイッチである右取消スイッチ６ｅが設けられている。右取消スイッチ５ｅは、左加熱部が前述の第１スイッチ群からの入力を制限している第２待機モードにあるとき、第２待機モードの解除し第２初期モードへ移行させる特定スイッチとし
ての働きも兼ね備えている。
【手続補正１７】
【補正対象書類名】明細書
【補正対象項目名】００２７
【補正方法】変更
【補正の内容】
【００２７】
図２は、第１スイッチ群である左スイッチ部の詳細構成とスイッチ検知信号を図示したものであり、各スイッチは導電性の表電極と裏電極とで、絶縁物（ここではガラスとする）で構成される天板２を挟み込んだコンデンサ構成となっている。表電極は使用者が容易に操作できるよう、天板２の外郭と同一面上に形成されており、表電極に人の指が触れると、前述したコンデンサ構造部に蓄えられていた電荷が人体を介して対地に放電されることから、図２に示すようにスイッチ検知信号がｖ１（ここでは４Ｖとする）からｖ２（ここでは２Ｖとする）に変動する。スイッチの受付は、あらかじめ設定された電圧変動しきい値Ｖθ（ここでは１Ｖ）を超える変動電圧が、あらかじめ設定された時間ｔθの間連続して入力された時に有効とし、左ダウンスイッチ５ａ、左アップスイッチ５ｂ、左加熱切／入スイッチ５ｃ、左タイマスイッチ５ｄ、左取消スイッチ５ｅは制御手段１０に有効信号を出力する。そして、加熱制御手段１０は、有効スイッチ入力に基づいて左加熱コイル３ａと左液晶表示装置５ａを制御する。第２スイッチ群である右スイッチ部の構成も、前述した左スイッチ部と同一でありその説明は割愛する。
【手続補正１８】
【補正対象書類名】明細書
【補正対象項目名】００４３
【補正方法】削除
【補正の内容】